(57)【特許請求の範囲】
【請求項１】
同一面側に素子形成面と電力取り出し用の電極パターンを有するソーラーセルと、前記ソーラーセルからの電力を受けて作動するとともに前記電力取り出し用の電極パターンと反対側に配置する回路装置と、前記ソーラーセルと前記回路装置とを接続する導通部材と、前記ソーラーセルと前記回路装置との間に配置する時計構成部材を備えるソーラーセル付電子時計において、
前記導通部材はバネ部と固定部を有し、
前記バネ部は前記ソーラーセルの電力取り出し用の電極パターンに圧接して前記回路装置と前記ソーラーセルを導通させ、
前記固定部は前記時計構成部材と前記回路装置との間に配置する
ことを特徴とするソーラーセル付電子時計。
【請求項２】
前記導通部材は、前記時計構成部材と前記回路装置とで挟持することにより保持される
ことを特徴とする請求項１記載のソーラーセル付電子時計。
【請求項３】
前記時計構成部材は、前記導通部材のバネ部を前記ソーラーセルの電力取り出し用の電極パターンへ案内する案内部を有する
ことを特徴とする請求項１または２記載のソーラーセル付電子時計。
【請求項４】
前記案内部は斜面部である
ことを特徴とする請求項３記載のソーラーセル付電子時計。
【請求項５】
前記時計構成部材は、ソーラーセル保持部材である
ことを特徴とする請求項１乃至請求項４のいずれかに記載のソーラーセル付電子時計。
【請求項６】
前記ソーラーセルは、前記時計構成部材と前記導通部材に設けるバネ部とにより保持される
ことを特徴とする請求項１乃至請求項５のいずれかに記載のソーラーセル付電子時計。
【請求項７】
前記導通部材は、前記バネ部と前記固定部が一体である
ことを特徴とする請求項１乃至請求項６のいずれかに記載のソーラーセル付電子時計。
【請求項８】
前記ソーラーセルは、外周部に切り欠き部を設け、
前記バネ部は、前記切り欠き部を通して前記ソーラーセルの電力取り出し用の電極パターンに圧接して前記ソーラーセルと前記回路装置とを導通させる
ことを特徴とする請求項１乃至請求項７のいずれかに記載のソーラーセル付電子時計。
【発明の詳細な説明】
【０００１】
【発明の属する技術分野】
本発明は光を受ける事により発電するソーラーセルを有する電子時計の構造で、特にソーラーセルと回路装置とを接続する導通部の構造に関するものである。
【０００２】
【従来の技術】
環境保護を考える昨今、時計の分野に於いても使い捨て電池の使用の見直しが叫ばれている。そんな中、ソーラーセルを用いて光を受ける事で発電し、発電した電気で駆動する時計が多々有る。
【０００３】
そんなソーラーセル付電子時計は、ソーラーセルにより発生した電力を充電機能や時計駆動機能を備えた回路装置へ供給する必要がある。ソーラーセルの電極パターンから回路装置への導通手段は多種にわたり考えられている。特にソーラーセルの電極パターンの反対側に回路装置が有る場合、実公平５−３６２８２号公報に記載の導通構造が有る。ソーラーセルの電力取り出し用の電極パターンと反対側に回路装置が有る場合、実公平５−３６２８２号公報に記載の導通構造で分かる様に、ソーラーセルの電極パターンに熱圧着する第一の導通部材を取り付け、他の回路装置に圧接している第二導通部材が、ソーラーセルの切り欠き部にを利用して張り出している第一導通部材に接する事で導通を取る構造がある。
【０００４】
【発明が解決しようとする課題】
しかし、ソーラーセルに導通部材を熱圧着で取り付ける事は、ソーラーセルと導通部材の位置関係をきちんと決めて張り付けないと電極パターン以外の光発電を行うソーラーセルの素子形成面を覆う危険が有る。また、導通部材が２種以上必要になる。
【０００５】
本発明の目的は、ソーラーセルの電極パターンの反対側に回路装置があるソーラーセル付電子時計に於いて、前記電極パターンと回路装置の導通を簡素化する構造である。
【０００６】
【課題を解決するための手段】
上記の目的を達成するために、本発明のソーラーセル付電子時計は、同一面側に素子形成面と電力取り出し用の電極パターンを有するソーラーセルと、前記ソーラーセルからの電力を受けて作動するとともに前記電力取り出し用の電極パターンと反対側に配置する回路装置と、前記ソーラーセルと前記回路装置とを接続する導通部材と、前記ソーラーセルと前記回路装置との間に配置する時計構成部材を備えるソーラーセル付電子時計において、前記導通部材はバネ部と固定部を有し、前記バネ部は前記ソーラーセルの電力取り出し用の電極パターンに圧接して前記回路装置と前記ソーラーセルを導通させ、前記固定部は前記時計構成部材と前記回路装置との間に配置することを特徴とする。
【０００７】
又、組立性向上用に、前記時計構造部材は、前記導通部材のバネ部を前記ソーラーセルの外側に広げてから前記電極パターンへ案内する案内部を有している事を特徴とし、前記案内部は斜面部である事を特徴とする。
さらに、前記時計構造部材は、ソーラーセル保持部材で有る事を特徴とする。
さらに又、前記時計構造部材と、前記導通部材に設けたバネ部とによって、前記ソーラーセルを保持する事を特徴とする。
【０００８】
【発明の実施の形態】
以下本発明を図によって説明する。図１及び図２は、本発明の実施形態によるソーラーセル付電子時計をモジュール側からみた平面図、図２はソーラーセル側から見た平面図である。又図５は、図１の中から本発明の特徴でもある導通部材の部分を解り易くした部分拡大図である。５はソーラーセルであり、４面の素子形成面５ｄを有しており、それぞれ接続部５ｅで結ばれている。また素子形成面５ｄ側にそれぞれ電力取り出し用の電極パターン５ａ，５ｂを有する。よって接続部５ｅで結ばれた素子形成面５ｄの両端に電極パターン５ａ，５ｂを備えている事になる。
【０００９】
１０はコイル、ステータ、ロータから成るモータであり、該モータ１０の動きが輪列１１を駆動する。１２はソーラーセル５で発電された電力を畜積する蓄電池。１３は時計駆動周波数のもとである水晶振動子であり、１４はそれを分周し、モータ１０の駆動パルスを発生させるＩＣである。またＩＣ１４はソーラーセル５で発電された電力分配をも制御する。
【００１０】
１はモータ１０、輪列１１、蓄電池１２等を保護し時計を形づける時計構成部材であり、２、３は本発明の導通手段の働きを行い、前記時計構成部材に組みこまれている金属製の導通部材である。該導通部材２、３の上に回路装置４がある。ソーラーセル５からの電力取り出し用の電極パターン５ａ，５ｂは２箇所ある事から導通部材２及び３は同じ形状の部材とする。つまり該電極パターン５ａ，５ｂの反対側に回路装置４がある。
【００１１】
更に詳しく本発明の特徴であるソーラーセル付電子時計のソーラーセル５の電極パターン５ａ，５ｂと回路装置４を接続する詳細構造を図４によって説明する。
【００１２】
図４は、図１のＢ−Ｂから見た矢視図である。導通部材２は、ソーラーセル５の電極パターン５ａに接するバネ部２ａと、回路装置４に接するバネ部２ｂを持ち、固定部２Ｃが時計構成部材１の２ヶ所の位置決めボス１ａにより位置決めされており、固定部２Ｃは時計構成部材１と回路装置４で挟みこまれている事で保持されている。前記バネ部２ａ及び２ｂの初期位置は点線で示されている。よって導通部材２はバネ部２ａのたわみ力により、ソーラーセル５の切り欠き部５ｃを通してソーラーセル５の電極パターン５ａに圧接し、導通が取れる事になる。同様に、導通部材２のバネ部２ｂも回路装置４と導通が取れる事になり、導通部材２は、ソーラーセル５の電力を回路装置４に供給できる。
【００１３】
次に導通部材２のバネ部２ａをソーラーセル５の電極パターン５ａへ組み込み方法について図３を用いて説明する。
【００１４】
図３は、図１の記載の断面線Ａから見た断面図である。導通部材２は、ソーラーセル５の裏面に組み込まれる。導通部材２があらかじめ時計構成部材１により組み込まれてしまった場合、前記導通部材２のバネ部２ａがソーラーセル５の電極パターン５ａへ達するには一度ソーラーセル５の外形まで押し開かなくてはならない。そこで、時計構成部材１には図３の如くバネ部２ａを案内する斜面部（本発明の案内部）１ｆを形成する事で、ソーラーセル５の外形に広がり易くなり容易に電極パターン５ａまで、導通部材２のバネ部２ａを導く事が出来る。
【００１５】
導通部材３についても導通部材２と同様な考えから説明を省く。
【００１６】
最後にソーラーセル５は、時計構成部材１からなる突起部１ｃ、及び１ｄにより位置決めを受け保持され、同様に時計構成部材１から成るフック部１ｅと導通部材２、及び３で外れないように保持されている。
【００１７】
【発明の効果】
上述の如く、ソーラーセルの電極パターンから該電極パターンより反対側の回路装置へ電力を供給する導通構造に於いて、ソーラーセルに張り付ける導通部材がなくなり、金属製の導通部材１部品で済みコストダウンが図れる。また時計構成部材に組み込み用の斜面を施す事で複雑な組み込み方法を伴わず安易に組み込みが出来る。また、導通部材はソーラーセルの切り欠き部を通して接続されるので、モジュールの外側に導通部材がはみ出す事もない。
【図面の簡単な説明】
【図１】本発明の実施形態の導通部材が搭載されたソーラーセル付電子時計をモジュール側から見た平面図である。
【図２】  本発明の実施形態の導通部材が搭載されたソーラーセル付電子時計をソーラーセル側から見た平面図である。
【図３】図１記載の断面線Ａの断面図である。
【図４】図１記載のＢ−Ｂから見た矢視図である。
【図５】図１記載の導通部材２の部分拡大図である。
【符号の説明】
１  時計構成部材
２、３  導通部材
４  回路装置
５  ソーラーセル
【図１】
0003810541.tif 000002
【図２】
0003810541.tif 000003
【図３】
0003810541.tif 000004
【図４】
0003810541.tif 000005
【図５】
0003810541.tif 000006